(57)【要約】【課題】  携帯電話機の外部出力端子を介して映像信号を出力する際に、当該携帯電話機が現在、位置している国に対応するＴＶ方式の映像信号に自動的にフォーマット変換処理して出力可能とする。【解決手段】  携帯電話機は、無線基地局から配信されているＬＡＩ（Local Area Identity）に含まれる国情報を抽出して、当該携帯電話機が、現在、位置している国を検出し、この国情報を、移動体通信網３２上に設けられたＴＶ方式情報サーバ装置３３に送信する。ＴＶ方式情報サーバ装置３３は、上記国情報に対応するＴＶ方式を示すＴＶ方式情報を携帯電話機に返信する。携帯電話機は、このＴＶ方式情報に基づいて映像信号をフォーマット変換処理し、上記外部出力端子を介して出力する。これにより、当該携帯電話機が現在、位置している国に対応するＴＶ方式の映像信号に自動的にフォーマット変換処理して出力することができる。【選択図】  図３
2007074025.tif 000002
【特許請求の範囲】
【請求項１】
現在位置が属する国を検出する現在位置国検出手段と、
上記現在位置国検出手段で検出された上記現在位置が属する国で用いられているテレビジョン方式を検出するテレビジョン方式検出手段と、
映像信号を出力する際に、該出力する映像信号を、上記テレビジョン方式検出手段で検出されたテレビジョン方式の映像信号に変換するテレビジョン方式変換手段と、
上記テレビジョン方式変換手段でテレビジョン方式が変換された映像信号を外部に出力するための外部出力手段と
を有する携帯端末装置。
【請求項２】
請求項１に記載の携帯端末装置であって、
無線通信を行うための無線通信手段を有し、
上記現在位置国検出手段は、上記無線通信手段が無線通信を行う無線基地局から配信される、当該無線基地局が設置されている国を示す国情報に基づいて、上記現在位置が属する国を検出し、
上記テレビジョン方式検出手段は、上記現在国検出手段が上記無線基地局から受信した国情報を、上記無線通信手段を介して、上記無線基地局が設けられたネットワーク上に設けられた、各国毎のテレビジョン方式を示すテレビジョン方式情報を送信するテレビジョン方式情報サーバ装置に送信し、この送信した国情報に対応して該テレビジョン方式情報サーバ装置から返信されるテレビジョン方式情報に基づいて、上記現在位置に対応する国で用いられているテレビジョン方式を検出すること
を特徴とする携帯端末装置。
【請求項３】
請求項１に記載の携帯端末装置であって、
無線通信を行うための無線通信手段と、
各位置がそれぞれ属する国を示す国情報が記憶された位置／国管理テーブルとを有し、
上記現在位置国検出手段は、ＧＰＳセンサ（GPS：Global Positioning System）で検出した現在位置に対応する国情報を上記位置／国管理テーブルから読み出すことで、上記現在位置が属する国を検出し、
上記テレビジョン方式検出手段は、上記現在国検出手段により上記位置／国管理テーブルから読み出された国情報を、上記無線通信手段を介して、上記無線基地局が設けられたネットワーク上に設けられた、各国毎のテレビジョン方式を示すテレビジョン方式情報を送信するテレビジョン方式情報サーバ装置に送信し、この送信した国情報に対応して該テレビジョン方式情報サーバ装置から返信されるテレビジョン方式情報に基づいて、上記現在位置に対応する国で用いられているテレビジョン方式を検出すること
を特徴とする携帯端末装置。
【請求項４】
請求項１に記載の携帯端末装置であって、
無線通信を行うための無線通信手段と、
各国でそれぞれ用いられているテレビジョン方式を示すテレビジョン方式情報が記憶されたテレビジョン方式管理テーブルとを有し、
上記現在位置国検出手段は、上記無線通信手段が無線通信を行う無線基地局から配信される、当該無線基地局が設置されている国を示す国情報に基づいて、上記現在位置が属する国を検出し、
上記テレビジョン方式検出手段は、上記現在国検出手段が上記無線基地局から受信した国情報に対応するテレビジョン方式情報を上記テレビジョン方式管理テーブルから読み出すことで、上記現在位置に対応する国で用いられているテレビジョン方式を検出すること
を特徴とする携帯端末装置。
【請求項５】
請求項１に記載の携帯端末装置であって、
各位置がそれぞれ属する国を示す国情報が記憶された位置／国管理テーブルと、
各国でそれぞれ用いられているテレビジョン方式を示すテレビジョン方式情報が記憶されたテレビジョン方式管理テーブルとを有し、
上記現在位置国検出手段は、ＧＰＳセンサ（GPS：Global Positioning System）で検出した現在位置に対応する国情報を上記位置／国管理テーブルから読み出すことで、上記現在位置が属する国を検出し、
上記テレビジョン方式検出手段は、上記現在国検出手段により上記位置／国管理テーブルから読み出された国情報に対応するテレビジョン方式情報を、上記テレビジョン方式管理テーブルから読み出すことで、上記現在位置に対応する国で用いられているテレビジョン方式を検出すること
を特徴とする携帯端末装置。
【請求項６】
請求項１から請求項５のうち、いずれか一項に記載の携帯端末装置であって、
上記テレビジョン方式変換手段は、
各テレビジョン方式のフォーマット情報が記憶されたフォーマット情報記憶手段と、
上記テレビジョン方式検出手段で検出されたテレビジョン方式に対応するフォーマット情報を上記フォーマット情報記憶手段から読み出し、このフォーマット情報に基づいて、上記出力する映像信号を、上記テレビジョン方式検出手段で検出されたテレビジョン方式の映像信号に変換するフォーマット変換手段と
を有することを特徴とする携帯端末装置。
【請求項７】
無線通信を行うための無線通信回路と、
映像信号を外部に出力するための外部出力端子と、
無線基地局から配信される、当該無線基地局が設置されている国を示す国情報を、該無線基地局が設けられているネットワーク上に設けられた、各国毎のテレビジョン方式を示すテレビジョン方式情報を送信するテレビジョン方式情報サーバ装置に送信すると共に、この送信した国情報に対応して該テレビジョン方式情報サーバ装置から返信されたテレビジョン方式情報を受信するように、上記無線通信回路を通信制御する制御回路と、
各テレビジョン方式のフォーマット情報が記憶されたフォーマットレジスタと、
上記無線通信回路で受信された上記テレビジョン方式情報に対応するフォーマット情報を上記フォーマットレジスタから読み出し、出力する映像信号を、このフォーマットレジスタから読み出したフォーマット情報に対応するフォーマットの映像信号に変換して上記外部出力端子に供給するエンコードブロックと
を有する携帯端末装置。
【請求項８】
現在位置を検出するＧＰＳセンサ（GPS：Global Positioning System）と、
各位置がそれぞれ属する国を示す国情報が記憶された位置／国管理テーブルと、
無線通信を行うための無線通信回路と、
映像信号を外部に出力するための外部出力端子と、
上記ＧＰＳセンサで検出された現在位置に対応する国情報を上記位置／国管理テーブルから読み出し、この読み出した国情報を、無線基地局が設けられているネットワーク上に設けられた、各国毎のテレビジョン方式を示すテレビジョン方式情報を送信するテレビジョン方式情報サーバ装置に送信すると共に、この送信した国情報に対応して該テレビジョン方式情報サーバ装置から返信されたテレビジョン方式情報を受信するように、上記無線通信回路を通信制御する制御回路と、
各テレビジョン方式のフォーマット情報が記憶されたフォーマットレジスタと、
上記無線通信回路で受信された上記テレビジョン方式情報に対応するフォーマット情報を上記フォーマットレジスタから読み出し、出力する映像信号を、このフォーマットレジスタから読み出したフォーマット情報に対応するフォーマットの映像信号に変換して上記外部出力端子に供給するエンコードブロックと
を有する携帯端末装置。
【請求項９】
無線通信を行うための無線通信回路と、
映像信号を外部に出力するための外部出力端子と、
各国でそれぞれ用いられているテレビジョン方式を示すテレビジョン方式情報が記憶されたテレビジョン方式管理テーブルと、
各テレビジョン方式のフォーマット情報が記憶されたフォーマットレジスタと、
無線基地局から配信される、当該無線基地局が設置されている国を示す国情報に基づいて、当該国に対応するテレビジョン方式情報を上記テレビジョン方式管理テーブルから読み出し制御すると共に、上記フォーマットレジスタから、上記読み出したテレビジョン方式情報に対応するテレビジョン方式のフォーマット情報を読み出し制御する制御回路と、
出力する映像信号を、上記フォーマットレジスタから読み出されたフォーマット情報に対応するフォーマットの映像信号に変換して上記外部出力端子に供給するエンコードブロックと
を有する携帯端末装置。
【請求項１０】
現在位置を検出するＧＰＳセンサ（GPS：Global Positioning System）と、
各位置がそれぞれ属する国を示す国情報が記憶された位置／国管理テーブルと、
各国でそれぞれ用いられているテレビジョン方式を示すテレビジョン方式情報が記憶されたテレビジョン方式管理テーブルと、
無線通信を行うための無線通信回路と、
各テレビジョン方式のフォーマット情報が記憶されたフォーマットレジスタと、
映像信号を外部に出力するための外部出力端子と、
上記ＧＰＳセンサで検出された現在位置に対応する国情報を上記位置／国管理テーブルから読み出し制御し、この読み出し制御した国情報に基づいて、当該国に対応するテレビジョン方式情報を上記テレビジョン方式管理テーブルから読み出し制御すると共に、上記フォーマットレジスタから、上記読み出し制御したテレビジョン方式情報に対応するテレビジョン方式のフォーマット情報を読み出し制御する制御回路と、
出力する映像信号を、上記フォーマットレジスタから読み出されたフォーマット情報に対応するフォーマットの映像信号に変換して上記外部出力端子に供給するエンコードブロックと
を有する携帯端末装置。
【請求項１１】
現在位置国検出手段で現在位置が属する国を検出するように該現在位置国検出手段を制御する現在位置国検出制御手段としてコンピュータを機能させ、
上記現在位置国検出制御手段としてコンピュータを機能させることで上記現在位置国検出手段で検出された、上記現在位置が属する国で用いられているテレビジョン方式を検出するようにテレビジョン方式検出手段を制御するテレビジョン方式検出制御手段としてコンピュータを機能させ、
映像信号を出力する際に、上記テレビジョン方式検出制御手段としてコンピュータを機能させることで上記テレビジョン方式検出手段で検出されたテレビジョン方式の映像信号に上記出力する映像信号を変換して外部出力手段に供給するようにテレビジョン方式変換手段を制御するテレビジョン方式変換制御手段としてコンピュータを機能させること
を特徴とする映像信号出力処理プログラム。
【発明の詳細な説明】
【技術分野】
【０００１】
本発明は、映像信号の出力機能を有する、例えば携帯電話機、ＰＨＳ電話機（PHS：Personal Handyphone System）、ＰＤＡ装置（PDA：Personal Digital Assistant）、ノート型のパーソナルコンピュータ装置等の携帯機器に適用して好適な携帯端末装置及び映像信号出力処理プログラムに関し、特に携帯機器の現在位置に対応するテレビジョン方式に、出力する映像信号を自動的に変換して出力可能とした携帯端末装置及び映像信号出力処理プログラムに関する。
【背景技術】
【０００２】
今日において、広く普及している携帯電話機には、例えばカメラ機能で撮像した動画像や静止画像、或いはゲーム画像等を外部出力するための外部出力端子が設けられている。この外部出力端子を、転送ラインを介してモニタ装置と接続することで、上記動画像や静止画像、或いはゲーム画像等をモニタ装置に表示可能となっている。
【０００３】
ここで、日本国やアメリカ国における標準テレビジョン方式はＮＴＳＣ方式（NTSC：National Television Standards Committee）、イギリス国における標準テレビジョン方式はＰＡＬ方式(PAL：Phase Alternating Line)、フランス国における標準テレビジョン方式はＳＥＣＡＭ方式（SECAM：Sequentiel Couleur avec Memoire）等のように、各国において採用しているテレビジョン方式は異なっている。また、携帯電話機の使用可能な地理的範囲も国内のみならず海外にまで広がっている。
【０００４】
このため、ユーザが携帯電話機を国内のテレビジョン方式とは異なるテレビジョン方式の国に移動させて上記動画像や静止画像等をモニタ装置に表示しようとすると、テレビジョン方式の違いから正常にモニタ表示がなされない不都合を生ずる。
【０００５】
このような不都合を防止するために、携帯電話機には、出力する映像信号のテレビジョン方式を変換する出力テレビジョン方式変換メニューが設けられており、ユーザは、上記モニタ表示が正常になされない場合に、この出力テレビジョン方式変換メニューを選択して、上記外部出力端子から出力される映像信号のテレビジョン方式を手動で再設定する。これにより、国内と異なるテレビジョン方式の国に携帯電話機を移動させた場合でも、上記動画像や静止画像等を正常にモニタ表示することができる。
【０００６】
なお、テレビジョン方式の変換処理を行う映像信号処理装置として、特開２００２−１０２１９号の公開特許公報（特許文献１）において、テレビジョン方式の変換処理を行う映像信号処理装置が開示されている。
【０００７】
この映像信号処理装置は、入力映像信号の１フィールド当たりの走査線数を増加させて順次倍速信号に変換する順次倍速変換手段と、上記入力映像信号のフィールド周波数を増加させてフィールド倍速信号に変換するフィールド倍速変換手段とを含む倍速変換回路を備えている。
【０００８】
そして、入力映像信号の信号形式、表示モニタの種類、若しくは上記入力映像信号の信号形式と表示モニタの種類との組み合わせに応じて、上記順次倍速変換手段及び倍速変換手段の出力信号のいずれかを選択する。
【０００９】
これにより、ＮＴＳＣ方式、ＰＡＬ方式、ＳＥＣＡＭ方式、ＨＤＴＶ方式等のテレビジョン方式の映像信号を受像する際に、テレビジョン方式の映像信号形式と表示モニタに応じてフリッカ妨害が少なく高画質な映像表示が実現可能となっている。
【００１０】
【特許文献１】特開２００２−１０２１９号公報（第５頁〜第６頁：図１〜図３）
【発明の開示】
【発明が解決しようとする課題】
【００１１】
しかし、従来の携帯電話機は、上述の出力テレビジョン方式変換メニューに基づいて出力する映像信号のテレビジョン方式が変換可能なことはよいが、そもそも、この出力テレビジョン方式変換メニューが存在すること自体、認識していないユーザが多いことが現状である。当然のことながら、この出力テレビジョン方式変換メニューの存在を認識していないユーザは、国内と異なるテレビジョン方式を用いている移動先の国では、正常なモニタ表示を得られないこととなる。
【００１２】
また、この出力テレビジョン方式変換メニューに基づいて、出力する映像信号のテレビジョン方式を再設定するにしても、移動先の国で用いられているテレビジョン方式をユーザが認識している必要がある。このため、移動先の国で用いられているテレビジョン方式をユーザが認識していない場合には、やはり正常なモニタ表示を得られないこととなる。
【００１３】
さらに、出力テレビジョン方式変換メニューに基づくテレビジョン方式の変更設定は、ユーザが手動で行うようになっている。このため、面倒な手動操作を必要とする問題もある。
【００１４】
本発明は上述の課題に鑑みてなされたものであり、テレビジョン方式が異なる国に移動した場合でも、出力する映像信号を、ユーザに意識させることなく、自動的に当該移動先の国で用いられているテレビジョン方式の映像信号に変換して出力することで正常なモニタ表示を得ることができるような携帯電話機及び映像信号出力処理プログラムの提供を目的とする。
【課題を解決するための手段】
【００１５】
本発明に係る携帯端末装置は、上述の課題を解決するための手段として、
現在位置が属する国を検出する現在位置国検出手段と、
上記現在位置国検出手段で検出された上記現在位置が属する国で用いられているテレビジョン方式を検出するテレビジョン方式検出手段と、
映像信号を出力する際に、該出力する映像信号を、上記テレビジョン方式検出手段で検出されたテレビジョン方式の映像信号に変換するテレビジョン方式変換手段と、
上記テレビジョン方式変換手段でテレビジョン方式が変換された映像信号を外部に出力するための外部出力手段と
を有する。
【００１６】
また、本発明に係る携帯端末装置は、上述の課題を解決するための手段として、
無線通信を行うための無線通信回路と、
映像信号を外部に出力するための外部出力端子と、
無線基地局から配信される、当該無線基地局が設置されている国を示す国情報を、該無線基地局が設けられているネットワーク上に設けられた、各国毎のテレビジョン方式を示すテレビジョン方式情報を送信するテレビジョン方式情報サーバ装置に送信すると共に、この送信した国情報に対応して該テレビジョン方式情報サーバ装置から返信されたテレビジョン方式情報を受信するように、上記無線通信回路を通信制御する制御回路と、
各テレビジョン方式のフォーマット情報が記憶されたフォーマットレジスタと、
上記無線通信回路で受信された上記テレビジョン方式情報に対応するフォーマット情報を上記フォーマットレジスタから読み出し、出力する映像信号を、このフォーマットレジスタから読み出したフォーマット情報に対応するフォーマットの映像信号に変換して上記外部出力端子に供給するエンコードブロックと
を有する。
【００１７】
また、本発明に係る携帯端末装置は、上述の課題を解決するための手段として、
現在位置を検出するＧＰＳセンサ（GPS：Global Positioning System）と、
各位置がそれぞれ属する国を示す国情報が記憶された位置／国管理テーブルと、
無線通信を行うための無線通信回路と、
映像信号を外部に出力するための外部出力端子と、
上記ＧＰＳセンサで検出された現在位置に対応する国情報を上記位置／国管理テーブルから読み出し、この読み出した国情報を、無線基地局が設けられているネットワーク上に設けられた、各国毎のテレビジョン方式を示すテレビジョン方式情報を送信するテレビジョン方式情報サーバ装置に送信すると共に、この送信した国情報に対応して該テレビジョン方式情報サーバ装置から返信されたテレビジョン方式情報を受信するように、上記無線通信回路を通信制御する制御回路と、
各テレビジョン方式のフォーマット情報が記憶されたフォーマットレジスタと、
上記無線通信回路で受信された上記テレビジョン方式情報に対応するフォーマット情報を上記フォーマットレジスタから読み出し、出力する映像信号を、このフォーマットレジスタから読み出したフォーマット情報に対応するフォーマットの映像信号に変換して上記外部出力端子に供給するエンコードブロックと
を有する。
【００１８】
また、本発明に係る携帯端末装置は、上述の課題を解決するための手段として、
無線通信を行うための無線通信回路と、
映像信号を外部に出力するための外部出力端子と、
各国でそれぞれ用いられているテレビジョン方式を示すテレビジョン方式情報が記憶されたテレビジョン方式管理テーブルと、
各テレビジョン方式のフォーマット情報が記憶されたフォーマットレジスタと、
無線基地局から配信される、当該無線基地局が設置されている国を示す国情報に基づいて、当該国に対応するテレビジョン方式情報を上記テレビジョン方式管理テーブルから読み出し制御すると共に、上記フォーマットレジスタから、上記読み出したテレビジョン方式情報に対応するテレビジョン方式のフォーマット情報を読み出し制御する制御回路と、
出力する映像信号を、上記フォーマットレジスタから読み出されたフォーマット情報に対応するフォーマットの映像信号に変換して上記外部出力端子に供給するエンコードブロックと
を有する。
【００１９】
また、本発明に係る携帯端末装置は、上述の課題を解決するための手段として、
現在位置を検出するＧＰＳセンサ（GPS：Global Positioning System）と、
各位置がそれぞれ属する国を示す国情報が記憶された位置／国管理テーブルと、
各国でそれぞれ用いられているテレビジョン方式を示すテレビジョン方式情報が記憶されたテレビジョン方式管理テーブルと、
無線通信を行うための無線通信回路と、
各テレビジョン方式のフォーマット情報が記憶されたフォーマットレジスタと、
映像信号を外部に出力するための外部出力端子と、
上記ＧＰＳセンサで検出された現在位置に対応する国情報を上記位置／国管理テーブルから読み出し制御し、この読み出し制御した国情報に基づいて、当該国に対応するテレビジョン方式情報を上記テレビジョン方式管理テーブルから読み出し制御すると共に、上記フォーマットレジスタから、上記読み出し制御したテレビジョン方式情報に対応するテレビジョン方式のフォーマット情報を読み出し制御する制御回路と、
出力する映像信号を、上記フォーマットレジスタから読み出されたフォーマット情報に対応するフォーマットの映像信号に変換して上記外部出力端子に供給するエンコードブロックと
を有する。
【００２０】
また、本発明に係る映像信号出力処理プログラムは、
現在位置国検出手段で現在位置が属する国を検出するように該現在位置国検出手段を制御する現在位置国検出制御手段としてコンピュータを機能させ、
上記現在位置国検出制御手段としてコンピュータを機能させることで上記現在位置国検出手段で検出された、上記現在位置が属する国で用いられているテレビジョン方式を検出するようにテレビジョン方式検出手段を制御するテレビジョン方式検出制御手段としてコンピュータを機能させ、
映像信号を出力する際に、上記テレビジョン方式検出制御手段としてコンピュータを機能させることで上記テレビジョン方式検出手段で検出されたテレビジョン方式の映像信号に上記出力する映像信号を変換して外部出力手段に供給するようにテレビジョン方式変換手段を制御するテレビジョン方式変換制御手段としてコンピュータを機能させることで、上述の課題を解決する。
【００２１】
このような本発明は、現在位置が属する国を検出し、この現在位置が属する国で用いられているテレビジョン方式を、ネットワーク上のサーバ装置、或いは機器内に設けられたテレビジョン方式管理テーブルから検出する。そして、出力する映像信号を、この検出したテレビジョン方式の映像信号にフォーマット変換処理して出力することで、上記出力する映像信号を、現在位置が属する国のテレビジョン方式の映像信号に自動的に変換して出力する。
【発明の効果】
【００２２】
本発明は、テレビジョン方式が異なる国に移動した場合でも、出力する映像信号を、ユーザに意識させることなく、自動的に当該移動先の国で用いられているテレビジョン方式の映像信号に変換して出力することができる。このため、テレビジョン方式が異なる国に移動した場合でも、正常なモニタ表示を得ることができる。
【発明を実施するための最良の形態】
【００２３】
本発明は、動画像や静止画像、或いはゲーム画像等の映像信号を、モニタ装置等の外部の機器に出力するための外部出力端子を備えた携帯電話機に適用することができる。
【００２４】
［携帯電話機の構成］
この本発明の実施の形態となる携帯電話機は、図１に示すように無線基地局との間で無線通信を行うアンテナ１及び通信回路２と、着信音や受話音声の音響出力を得るためのスピーカ部３と、送話音声等を集音するためのマイクロホン部４と、画像（動画像、静止画像等）や文字等を表示するための表示部５と、所定の入力操作を行うための操作部６とを有している。
【００２５】
また、この携帯電話機は、発着信等を光で知らせるための発光部７（LED：Light Emitting Diode）と、所望の被写体の静止画像或いは動画像を撮像するためのカメラ部８と、当該携帯電話機の筐体を振動させることで着信等をユーザに知らせるためのバイブレーションユニット９と、カメラ部８で撮像された静止画像や動画像、或いはゲーム画像等の映像信号を外部のモニタ装置等に出力するための外部出力端子１０と、上記外部出力端子１０から出力する映像信号を、当該携帯電話機が現在、位置している国で用いられているテレビジョン方式の映像信号にフォーマット変換処理するＴＶ出力処理部１１とを有している。
【００２６】
また、この携帯電話機は、例えばスケジュール帳、電話帳、アドレス帳、音楽データ、静止画像データ、動画像データ、送受信した電子メールデータ等の各種データや、通信処理を行うための通信処理プログラム（コミュニケーションプログラム）、上記外部出力端子１０から出力する映像信号のテレビジョン方式を、当該携帯電話機が位置している国のテレビジョン方式に自動変換処理するための映像信号出力処理プログラム、所定のゲームプログラム、上記静止画像データや動画像データの再生を行うための動画／静止画再生プログラム等が記憶されたメモリ１２と、当該携帯電話機全体の動作を制御する制御部１３とを有している。
【００２７】
［自動フォーマット変換処理動作］
このような実施の形態の携帯電話機は、上記外部出力端子１０を介して出力する映像信号を、当該携帯電話機を移動させた国で用いられているテレビジョン方式の映像信号に、自動的にフォーマット変換処理して出力可能となっている。
【００２８】
図２のフローチャートに、この自動フォーマット変換処理の流れを示す。この図２のフローチャートは、当該携帯電話機のメイン電源が投入されたタイミング、又は所定の時間置きに、或いはメモリ１２に記憶されている動画／静止画再生プログラム、ゲームプログラム等の画像表示を伴うアプリケーションプログラムが起動操作されたタイミングでスタートとなり、ステップＳ１から処理が開始される。
【００２９】
ステップＳ１では、制御部１３が、無線基地局から配信される位置情報に含まれている国情報を検出する。具体的には、無線基地局は、ＬＡＩ（Local Area Identity）と呼ばれる国際的にユニークな位置情報を常時配信している。このＬＡＩには、当該無線基地局が設置されている国を示す国情報（Country Code）が含まれている。このため、制御部１３は、このステップＳ１において、無線基地局から受信したＬＡＩから国情報（Country Code）を抽出することで、当該携帯電話機が、現在、位置している国の検出を行う。
【００３０】
次に、ステップＳ２では、制御部１３が、上記ステップＳ１で検出された国情報は、メモリ１２に既に記憶されている国情報と異なる国情報であるか否かを判別する。
【００３１】
すなわち、一例ではあるが、この携帯電話機の場合、出荷時に、当該携帯電話機を販売する国の国情報がデフォルトとしてメモリ１２に記憶されている。このため、制御部１３は、ステップＳ２において、上記ステップＳ１で検出された国情報と、上記デフォルトとしてメモリ１２に記憶されている国情報とを比較することで、上記ステップＳ１で検出された国情報は、メモリ１２に既に記憶されている国情報と異なる国情報であるか否かを判別する。
【００３２】
そして、上記ステップＳ１で検出された国情報が、メモリ１２に既に記憶されている国情報と同じ国情報である場合、処理を後に説明するステップＳ６に進め、上記ステップＳ１で検出された国情報が、メモリ１２に既に記憶されている国情報と異なる国情報である場合、処理をステップＳ３に進め、該ステップＳ１で検出された国情報を、メモリ１２に既に記憶されている国情報に上書き或いは並記して、処理をステップＳ４に進める。
【００３３】
なお、上記デフォルトとしてメモリ１２に国情報が記憶されていない場合には、このステップＳ２をスキップして処理をステップＳ３に進め、ステップＳ１で検出した国情報をメモリ１２に記憶してもよい。
【００３４】
次に、制御部１３は、ステップＳ４において、メモリ１２に記憶した上記国情報を、図３に示すように無線基地局３１が接続された移動体通信網３２に設けられているテレビジョン方式情報サーバ装置３３（ＴＶ方式情報サーバ装置）に送信するように、通信回路２を送信制御する。ＴＶ方式情報サーバ装置３３は、各国のテレビジョン方式が記憶されたデータベースを有しており、携帯電話機から国情報を受信すると、この受信した国情報に対応するテレビジョン方式を示すテレビジョン方式情報を上記データベースから読み出して該携帯電話機に返信する。
【００３５】
携帯電話機の制御部１３は、ステップＳ５において、このＴＶ方式情報サーバ装置３３から返信されたＴＶ方式情報を受信するように通信回路２を通信制御すると共に、この受信したＴＶ方式情報をメモリ１２に記憶制御して処理をステップＳ６に進める。なお、この例では、ＴＶ方式情報サーバ装置３３は、無線基地局３１が接続された移動体通信網３２上に設けられていることとしたが、これはインターネット等の公衆通信網上に設けてもよい。
【００３６】
次に、ステップＳ６では、制御部１３が、ステップＳ５においてメモリ１２に記憶したＴＶ方式情報に基づいて、出力する映像信号のテレビジョン方式のフォーマット変換処理を行うＴＶ出力処理部１１を設定制御する。
【００３７】
具体的には、このＴＶ出力処理部１１は、図４に示すように各テレビジョン方式のフォーマット情報が記憶されたフォーマットレジスタ２１と、フォーマットレジスタ２１から読み出されたフォーマット情報に基づいて映像信号にエンコード処理を施すエンコードブロック２２と、エンコードブロック２２でエンコード処理された映像信号を記憶するメモリ２３と、デジタル情報としてメモリ２３に記憶された映像信号をアナログ化して外部出力端子１０に供給するＤ／Ａコンバータ２４とを有している。
【００３８】
制御部１３は、処理を上記ステップＳ６に進めると、メモリ１２に記憶したＴＶ方式情報で示されるテレビジョン方式のフォーマット情報を、ＴＶ出力処理部１１のフォーマットレジスタ２１から読み出し制御し、このフォーマット情報をエンコードブロック２２に設定制御する。これにより、ステップＳ１で検出された当該携帯電話機が現在、位置している国で用いられているテレビジョン方式に対応するフォーマット情報がエンコードブロック２２に設定されることとなる。
【００３９】
次に、制御部１３は、ステップＳ７において、ユーザにより映像信号の外部出力が指定されたか否かを判別する。一例ではあるが、ユーザが操作メニューを介して映像信号の外部出力の指定操作を行った際に、制御部１３がこの指定操作を検出して、上記映像信号の外部出力が指定されたものと判別してもよい。或いは、外部出力端子１０に転送ラインが接続されると、当該外部出力端子１０に電圧降下が生ずる。このため、制御部１３が、外部出力端子１０の電圧レベルを監視し、この電圧レベルが下がった際に、上記映像信号の外部出力が指定されたものと判別してもよい。
【００４０】
次に、上記ステップＳ７において、ユーザにより映像信号の外部出力が指定されたものと判別すると、制御部１３は処理をステップＳ８に進め、メモリ１２に記憶されている動画像、静止画像、或いはゲーム画像等の映像信号を、図４に示すＴＶ出力処理部１１のエンコードブロック２２に供給制御する。  
上述のように、エンコードブロック２２には、上記ステップＳ１で検出された当該携帯電話機が現在、位置している国で用いられているテレビジョン方式に対応するフォーマット情報が設定されている。このため、エンコードブロック２２は、このフォーマット情報に基づいてフォーマット変換処理を実行することで、供給される映像信号を、当該携帯電話機が現在、位置している国で用いられているテレビジョン方式の映像信号に変換し、これをメモリ２３及びＤ／Ａコンバータ２４を介して外部出力端子１０に供給する。
【００４１】
これにより、このフォーマット変換処理された映像信号が、外部出力端子１０を介して例えばモニタ装置に供給され、このモニタ装置上に、上記映像信号に対応する正常な映像が表示されることとなる。
【００４２】
［変形例１］
上述の実施の形態の説明では、無線基地局から配信されているＬＡＩから国情報を抽出することで、当該携帯電話機が、現在、位置している国を検出することとしたが、これは図１に点線のブロックで示すように、当該携帯電話機にＧＰＳアンテナ１４（GPS：Global Positioning System），ＧＰＳユニット１５、及び各位置に対応する国情報が記憶された位置／国管理テーブル１７を設け、ＧＰＳアンテナ１４及びＧＰＳユニット１５で検出される当該携帯電話機の現在位置に基づいて、位置／国管理テーブル１７を参照し、当該携帯電話機が、現在、位置している国を検出するようにしてもよい。
【００４３】
この場合、制御部１３は、位置／国管理テーブル１７から読み出した（検出した）国情報を上記ＴＶ方式情報サーバ装置３３に送信し、この送信した国情報に対応してＴＶ方式情報サーバ装置３３から返信されるＴＶ方式情報に基づいて、上記フォーマットレジスタ２１からフォーマット情報を読み出し制御することとなる。
【００４４】
［変形例２］
上述の実施の形態の説明では、移動体通信網３２上に設けられたＴＶ方式情報サーバ装置３３に国情報を送信することで、該ＴＶ方式情報サーバ装置３３で該国情報に対応するＴＶ方式を検出することとしたが、これは、図１に点線のブロックで示すように、各国のテレビジョン方式を記憶したＴＶ方式管理テーブル１６を当該携帯電話機内に設け、このＴＶ方式管理テーブル１６からＴＶ方式情報を検出するようにしてもよい。
【００４５】
この場合、制御部１３は、無線基地局から配信されているＬＡＩから国情報を抽出すると、この国情報に基づいてＴＶ方式管理テーブル１６を参照し、該ＬＡＩから抽出した国情報に対応するＴＶ方式情報をＴＶ方式管理テーブル１６から読み出す。そして、このＴＶ方式管理テーブル１６から読み出したＴＶ方式情報に基づいて、上記フォーマットレジスタ２１からフォーマット情報を読み出し制御する。
【００４６】
これにより、移動体通信網３２上に設けられたＴＶ方式情報サーバ装置３３と、当該携帯電話機との間で行う通信処理を省略することができる。
【００４７】
［変形例３］
上述の実施の形態の説明では、無線基地局から配信されているＬＡＩから国情報を抽出することで、当該携帯電話機が、現在、位置している国を検出し、この国情報を、移動体通信網３２上に設けられたＴＶ方式情報サーバ装置３３に送信して、該国情報に対応するＴＶ方式を検出することとしたが、これは、当該携帯電話機にＧＰＳアンテナ１４，ＧＰＳユニット１５、各位置に対応する国情報が記憶された位置／国管理テーブル１７、及び各国のテレビジョン方式を記憶したＴＶ方式管理テーブル１６を当該携帯電話機内に設け、上記ＴＶ方式の検出を行うようにしてもよい。
【００４８】
この場合、制御部１３は、ＧＰＳアンテナ１４及びＧＰＳユニット１５で検出される当該携帯電話機の現在位置に基づいて、位置／国管理テーブル１７を参照し、当該携帯電話機が、現在、位置している国を検出すると共に、この検出した国の国情報に基づいてＴＶ方式管理テーブル１６を参照し、上記国情報に対応するＴＶ方式情報をＴＶ方式管理テーブル１６から読み出す。そして、このＴＶ方式管理テーブル１６から読み出したＴＶ方式情報に基づいて、上記フォーマットレジスタ２１からフォーマット情報を読み出し制御する。これにより、移動体通信網３２上に設けられたＴＶ方式情報サーバ装置３３と、当該携帯電話機との間で行う通信処理を省略することができる。
【００４９】
［実施の形態の効果］
以上の説明から明らかなように、この実施の形態の携帯電話機は、当該携帯電話機が現在、位置している国を検出し、この国で用いられているテレビジョン方式を、ネットワーク上に設けられたＴＶ方式情報サーバ装置３３、或いは当該携帯電話機内に設けられたＴＶ方式管理テーブル１６から検出する。そして、出力する映像信号を、この検出したテレビジョン方式の映像信号にフォーマット変換処理して外部出力端子１０に供給することで、上記出力する映像信号を、当該携帯電話機が、現在、位置している国で用いられているテレビジョン方式の映像信号に自動的に変換して出力することができる。このため、当該携帯電話機をテレビジョン方式が異なる国に移動させた場合でも、ユーザが意識することなく、また、ユーザが面倒な操作を行うことなく、正常なモニタ表示を得ることができる。
【００５０】
上述の実施の形態の説明では、本発明を携帯電話機に適用することとしたが、本発明は、この他、ＰＨＳ電話機（PHS：Personal Handyphone System）、ＰＤＡ装置（PDA：Personal Digital Assistant），ノート型のパーソナルコンピュータ装置等の他の携帯端末装置に適用してもよい。この場合でも上述と同様の効果を得ることができる。
【００５１】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００５２】
【図１】本発明を適用した実施の形態となる携帯電話機のブロック図である。
【図２】実施の形態の携帯電話機における自動フォーマット変換処理動作の流れを示すフローチャートである。
【図３】実施の形態の携帯電話機が、国情報に対応するＴＶ方式情報を取得するＴＶ方式情報サーバ装置を示す図である。
【図４】実施の形態の携帯電話機に設けられているＴＶ出力処理部のブロック図である。
【符号の説明】
【００５３】
１  アンテナ、２  通信回路、３  スピーカ部、４  マイクロホン部、５  表示部、６  操作部、７  発光部、８  カメラ部、９  バイブレーションユニット、１０  外部出力端子、１１  ＴＶ出力処理部、１２  メモリ、１３  制御部、１４  ＧＰＳアンテナ、１５  ＧＰＳユニット、１６  ＴＶ方式管理テーブル、１７  位置／国管理テーブル、２１  フォーマットレジスタ、２２  エンコードブロック、２３  メモリ、２４  Ｄ／Ａコンバータ、３１  無線基地局、３２  移動体通信網、３３  ＴＶ方式情報サーバ装置
【図１】
2007074025.tif 000003
【図２】
2007074025.tif 000004
【図３】
2007074025.tif 000005
【図４】
2007074025.tif 000006